【手続補正書】
【提出日】令和2年8月18日(2020.8.18)
【手続補正１】
【補正対象書類名】明細書
【補正対象項目名】０１４６
【補正方法】変更
【補正の内容】
【０１４６】
以上でいくつかの変形形態を詳述したが、他の修正も可能である。例えば、添付の図の中で描かれ本明細書中で説明されている論理の流れは、所望の結果を達成するために、示された特定の順序または逐次的な順序を必要としない。すなわち、他の逐次的な順序も可能である。各図面についての以上の説明は、それぞれの実施形態セットに対応しているが、当業者であれば理解するように、他の実施形態にはいくつかの修正が必要となる可能性がある。これらの修正は、本特許出願の範囲内に入る。本明細書中に記載されている別個の実施形態について、本開示の他の実施形態において、任意の実施形態の構成要素を適宜、他の実施形態中に組込むことが可能である。このような他の実施形態は、フレームの範囲内に入る。
［１］  薬剤容器において、
フレームと；
前記フレーム内および外へ摺動するように構成されたドロワと；
薬剤を収納する複数のカートリッジを受入れるように構成された、前記ドロワ内の複数のスロットと；
前記ドロワが予め設定された距離を超えて前記フレーム内へ移動したかまたはその外へ移動したかのうちの少なくとも１つを検出するように構成された１つ以上のセンサの第１のセット、および
前記複数のカートリッジのうちの１つのカートリッジが前記複数のスロットのうちの対応するスロットから取出されたかまたはこの対応するスロットに挿入されたかのうちの少なくとも１つを検出するように構成された１つ以上のセンサの第２のセット、
のうちの少なくとも１つのセットと；
前記ドロワが前記予め設定された距離を超えて前記フレーム内へ移動したかまたはこのフレームの外へ移動したか、および前記カートリッジが前記対応するスロットから取出されたかまたはこのスロットに挿入されたか、のうちの少なくとも１つを特徴付けるデータを、通信ネットワークを介してサーバーコンピュータに送信するように構成された電子送信機と；
を含む薬剤容器。
［２］  前記サーバーコンピュータが、前記データに基づいてアラートおよび勧告のうちの少なくとも１つを生成するように構成されている、項目１に記載の容器。
［３］  前記複数のカートリッジの全てが前記同じ薬剤を含む、項目１に記載の容器。
［４］  前記フレームが１つ以上のフックを含み、前記１つ以上のフックが、前記フレームを吊るすことまたは前記フレームを別のフレームと噛合可能な形で積重ねることのうちの少なくとも１つを可能にする、項目１に記載の容器。
［５］  前記複数のフレームが直列である、項目１に記載の容器。
［６］  前記ドロワに取付けられた磁石をさらに含み、前記１つ以上のセンサは、前記磁石の動きを検出して、前記ドロワが前記予め設定された距離を超えて前記フレームから外に移動したか否かを検出するように構成されている、項目１に記載の容器。
［７］  前記磁石が希土類材料製である、項目６に記載の容器。
［８］  １つ以上のセンサの前記第２のセットが前記ドロワの内部に貼付され、１つ以上のセンサの前記第２のセットは、前記カートリッジが前記対応するスロットから取出されたか否かを検出するための１つ以上のタッチセンサおよび１つ以上の静電容量センサである、項目１に記載の容器。
［９］  １つ以上のセンサの前記第２のセットが前記フレーム内に位置付けされ、１つ以上のセンサの前記第２のセットは、予め設定された距離内の物体を検出するように構成され、１つ以上のセンサの前記第２のセットは、前記カートリッジの存在または不在を検出する、項目１に記載の容器。
［１０］  薬剤容器において、
薬剤を格納する複数のカートリッジを摺動可能な形で受入れるように構成された複数のスロットを含むフレームであって、前記複数のカートリッジが前記フレームの前記複数のスロット内および外へ摺動するように構成されている、フレームと；
前記複数のスロットの各スロットが対応するカートリッジを含んでいるか否かを決定するように構成された１つ以上のセンサと；
前記スロットのうちの１つ以上がカートリッジを含んでいるか否かを特徴付けるデータを、通信ネットワークを介してサーバーコンピュータに送信するように構成された電子送信機と；
を含む薬剤容器。
［１１］  前記複数のスロットが、他の２つのスロットの上方に２つのスロットを有するツーバイツー構成で配設された４つのスロットを含む、項目１０に記載の容器。
［１２］    キャップで閉鎖されるように構成された容器と；
前記容器の内部に挿入されるように構成され、前記容器の内部に完全に挿入された時点で前記容器を前記キャップで閉鎖できるようにする、薬剤収納用カートリッジと；
を含む装置。
［１３］  前記カートリッジの本体が、前記容器の内部のキャビティ内に嵌合し、前記カートリッジの一部分は、前記容器が前記キャップを受容する領域内で前記容器の上面を覆っている、項目１２に記載の装置。
［１４］  前記カートリッジの外部表面上の１つ以上の場所が、前記容器の内部表面に粘着する接着剤を含む、項目１２に記載の装置。
［１５］  前記カートリッジの一部分が前記容器の外部に延在し、前記容器を保持するためのグリップとして役立つように構成されている、項目１２に記載の装置。
［１６］  前記カートリッジの一部分が前記容器の外部に延在し、表示要素として役立つように構成されている、項目１２に記載の装置。
［１７］  前記表示要素が、前記カートリッジ内部の内容物を識別するデータを表示するように構成されている、項目１６に記載の装置。
［１８］  前記表示要素が、前記カートリッジ内部の前記内容物を識別する前記データを含む印刷されたラベルを含む、項目１７に記載の装置。
［１９］  前記表示要素が矩形形状である、項目１７に記載の装置。
［２０］  前記表示要素が円筒形形状である、項目１７に記載の装置。
［２１］  前記カートリッジが、栓またはライナのうちの少なくとも１つで閉鎖されるように構成されており、前記栓および前記ライナの各々は前記キャップと異なり別個である、項目１２に記載の装置。
［２２］  前記カートリッジは、前記カートリッジ内部の内容物が飛び出すのを防ぐため前記栓および前記ライナの各々により封止されるように構成されており、前記栓および前記ライナの各々は前記カートリッジから取外し可能である、項目２１に記載の装置。
［２３］  前記カートリッジは、乾燥剤チャンバおよび少なくとも１つの乾燥剤袋を含み、前記乾燥剤チャンバには、湿気が前記カートリッジの本体から前記乾燥剤袋内に移行し、前記カートリッジの内容物を前記乾燥剤袋から物理的に分離することを可能にする穿孔が含まれている、項目１２に記載の装置。
［２４］    容器と；
前記容器を閉鎖するためのキャップと；
前記キャップにまたは前記キャップの内部に貼付されたキャップセンサ要素と；
前記キャップセンサ要素と通信状態にある容器センサ要素と；
を含み、前記キャップセンサ要素と前記容器センサ要素は、共に動作して、前記キャップが前記容器センサ要素から閾値距離内に存在するか否かを検出するように構成されている、システム。
［２５］  前記容器が電池から電力を引込むのを防ぐために前記容器の電池区画内部に挿入されるように、かつ前記容器が前記電池から電力を引込むことを可能にするために取外すように構成されたプルタブ構成要素をさらに含む、項目２４に記載のシステム。
［２６］  前記容器センサはさらに、前記容器内部の内容物の数量を検出するように構成されている、項目２４に記載のシステム。
［２７］  前記容器センサに対して通信可能な形で結合され、通信ネットワークを介してサーバーコンピュータに対して、前記容器内部の前記内容物の前記数量を標示するデータを送るように構成された電気回路をさらに含み、前記電気回路は、前記内容物の数量が閾値より低い場合に前記サーバーコンピュータからアラートを標示するデータを受信するように構成されている、項目２６に記載のシステム。
［２８］    第１の通信ネットワークを介して、１つ以上のカートリッジを含む薬剤容器上の回路から、前記１つ以上のカートリッジまたは前記１つ以上のカートリッジ内部の予め設定された量の内容物が、予め設定された時間内に引出されなかったことを標示するデータを受信するように構成された、少なくとも１つの通信受信機と；
前記少なくとも１つ通信受信機に対し通信可能な形で結合された少なくとも１つのデータベースであって、前記１つ以上のカートリッジまたは前記前記１つ以上のカートリッジ内部の前記予め設定された量の内容物が、前記予め設定された時間内に引出されなかったことを標示する前記データを少なくとも記憶するように構成されている少なくとも１つのデータベースと；
前記少なくとも１つの通信受信機および前記少なくとも１つのデータベースのうちの少なくとも１つに対して通信可能な形で結合された少なくとも１つのプログラマブルプロセッサであって、前記データの前記受信に後続してかつこの受信に少なくとも部分的に基づいて、少なくとも１つの基準が満たされているか否かを決定するように構成され、かつ前記少なくとも１つの基準が満たされている場合にアラートを生成するように構成されている、少なくとも１つのプログラマブルプロセッサと；
前記少なくとも１つのプログラマブルプロセッサに対し通信可能な形で結合され、第２の通信ネットワークを介して前記薬剤容器または別のコンピュータデバイスに対し前記アラートを送信するように構成されている、少なくとも１つの通信送信機と；
を含むシステム。
［２９］  前記１つ以上のカートリッジ内部の前記予め設定された量の内容物が引出されなかったことの前記標示は、前記薬剤容器内部に格納された薬剤の一用量を、予め設定された時間内に患者が失念したことを標示している、項目２８に記載のシステム。
［３０］  前記コンピュータデバイスが、デスクトップコンピュータ、ラップトップコンピュータ、タブレットコンピュータ、ファブレットコンピュータ、および携帯電話の１つである、項目２８に記載のシステム。
［３１］  前記コンピュータデバイスは、前記薬剤容器を使用して患者を処置する介護者、前記患者に薬剤を提供する認可を受けた薬局、および前記患者のヘルスケアデータを得る認可を受けたヘルスケア会社のうちの少なくとも１つにより動作させられるように構成されている、項目２８に記載のシステム。
［３２］  前記第１の通信ネットワークが前記第２の通信ネットワークと同じである、項目２８に記載のシステム。
［３３］  前記第１の通信ネットワークが前記第２の通信ネットワークと異なりかつ別個である、項目２８に記載のシステム。
［３４］  前記少なくとも１つの基準を満たすことが、閾値を上回る前記薬剤容器と結び付けられたユーザまたはエンティティの１つのリスクレベルであり、前記少なくとも１つのプログラマブルプロセッサは、前記薬剤容器と結び付けられたユーザまたはエンティティの前記リスクレベルを決定し、それを前記閾値と比較するように構成されている、項目２８に記載のシステム。
［３５］    前記少なくとも１つのプログラマブルプロセッサは、少なくとも部分的に、前記データベース内に記憶された履歴データに基づいて前記リスクレベルを計算し；
前記履歴データには、薬剤容器のキャップの開放および／または閉鎖に関するデータ；薬剤容器のドロワ内および／または外への摺動に関するデータ；薬剤容器内への１つ以上のカートリッジの挿入および／または前記薬剤容器からの前記１つ以上のカートリッジの取出しに関するデータ；投薬計画に対する患者の順守の尤度を特徴付ける順守スコア；前記薬剤容器からの薬剤の引出しパターン；このような薬剤引出しパターンの複雑性；薬剤容器または薬剤容器内部のカートリッジへの補充パターン；薬剤容器または薬剤容器内部のカートリッジへのこのような補充パターンの不正確性；前記薬剤容器内の薬剤のタイプ；前記薬剤を消費するための投薬量要件；前記薬剤容器の前記回路と前記少なくとも１つの通信受信機との間の１つ以上の先行通信のタイミング；前記薬剤容器の前記回路と前記少なくとも１つの通信受信機との間で、前記１つ以上の先行通信中に交換されたデータ；および前記１つ以上の先行通信に関して指摘された１つ以上のエラー、のうちの少なくとも１つが含まれる、
項目３４に記載のシステム。
［３６］  前記少なくとも１つの基準を満たすことが、別の予め設定された時間内での前記１つ以上のカートリッジ内部の前記予め設定された量の内容物の引出しの欠如であり、他の予め設定された時間内での前記１つ以上のカートリッジ内部の前記予め設定された量の内容物の引出しの前記欠如は、前記薬剤容器内部に格納された薬剤の一用量が前記他の予め設定された時間内で失念されことを標示する、項目２８に記載のシステム。
［３７］    前記他の予め設定された時間内での前記予め設定された量の引出しの欠如を標示する前記データは、前記データベース内に記憶され、
前記少なくとも１つのプログラマブルプロセッサは、他の予め設定された時間内での前記予め設定された量の引出しの欠如を標示する前記データを前記データベースから受信することによって、前記他の予め設定された時間内での前記予め設定された量の引出しの欠如を決定する、
項目３６に記載のシステム。
［３８］  前記少なくとも１つの基準を満たすことは、予め設定された時間後の前記１つ以上のカートリッジ内部の前記予め設定された量の内容物の引出しであり、前記予め設定された時間後の前記１つ以上のカートリッジ内部の前記予め設定された量の内容物の引出しは、患者が前記薬剤を遅延して服用したことを標示する、項目２８に記載のシステム。
［３９］  前記少なくとも１つのプログラマブルプロセッサは、前記薬剤容器上の前記回路から、前記１つ以上のカートリッジ内部の前記予め設定された量の内容物の引出しを標示するデータを受信するように構成されており、前記少なくとも１つのプログラマブルプロセッサは、前記引出しを標示する前記データの前記受信の時点を識別して、前記引出しが前記予め設定された時間の後であるか否かを決定する、項目３８に記載のシステム。
［４０］  前記少なくとも１つの基準を満たすことが、予め設定された時間後の前記１つ以上のカートリッジのうちの少なくとも１つのカートリッジの補充であり、前記予め設定された時間後の前記少なくとも１つのカートリッジの前記補充は、前記少なくとも１つのカートリッジの前記補充が遅延したことを標示している、項目２８に記載のシステム。
［４１］  前記少なくとも１つのプログラマブルプロセッサは、前記薬剤容器上の前記回路から、前記少なくとも１つのカートリッジの前記補充を標示するデータを受信するように構成されており、前記少なくとも１つのプログラマブルプロセッサは、少なくとも１つのカートリッジの前記補充の時点を識別して、前記補充が遅延したか否かを決定する、項目４０に記載のシステム。
［４２］    第１の通信ネットワークを介して、薬剤容器上の回路から、薬剤容器の１つ以上のカートリッジが、予め設定された時間内に補充されなかったことを標示するデータを受信するように構成された、少なくとも１つの通信受信機と；
前記少なくとも１つの通信受信機のうちの少なくとも１つに対して通信可能な形で結合された少なくとも１つのプログラマブルプロセッサであって、前記データの前記受信に少なくとも部分的に基づいてアラートを生成するように構成されている、少なくとも１つのプログラマブルプロセッサと；
前記少なくとも１つのプログラマブルプロセッサに対し通信可能な形で結合され、第２の通信ネットワークを介して前記薬剤容器または別のコンピュータデバイスに対し前記アラートを送信するように構成されている、少なくとも１つの通信送信機と；
を含むシステム。
［４３］    第１の通信ネットワークを介して、第１のコンピュータデバイスからメッセージを受信するように構成された、少なくとも１つの通信受信機と；
前記少なくとも１つの通信受信機のうちの少なくとも１つに対して通信可能な形で結合された少なくとも１つのプログラマブルプロセッサであって、前記メッセージの前記受信時点でアラートを生成するように構成されている、少なくとも１つのプログラマブルプロセッサと；
前記少なくとも１つのプログラマブルプロセッサに対し通信可能な形で結合され、第２の通信ネットワークを介して第２のコンピュータデバイスに対し前記アラートを送信するように構成されている、少なくとも１つの通信送信機と；
を含むシステム。
［４４］  前記メッセージが、追加のケアに対する要求を含む、項目４３に記載のシステム。
【手続補正２】
【補正対象書類名】特許請求の範囲
【補正対象項目名】全文
【補正方法】変更
【補正の内容】
【特許請求の範囲】
【請求項１】
薬剤容器において、
フレームと；
前記フレーム内および外へ摺動するように構成されたドロワと；
薬剤を収納する複数のカートリッジを受入れるように構成された、前記ドロワ内の複数のスロットと；
前記ドロワが予め設定された距離を超えて前記フレーム内へ移動したかまたはその外へ移動したかのうちの少なくとも１つを検出するように構成された１つ以上のセンサの第１のセット、および
前記複数のカートリッジのうちの１つのカートリッジが前記複数のスロットのうちの対応するスロットから取出されたかまたはこの対応するスロットに挿入されたかのうちの少なくとも１つを検出するように構成された１つ以上のセンサの第２のセット、
のうちの少なくとも１つのセットと；
前記ドロワが前記予め設定された距離を超えて前記フレーム内へ移動したかまたはこのフレームの外へ移動したか、および前記カートリッジが前記対応するスロットから取出されたかまたはこのスロットに挿入されたか、のうちの少なくとも１つを特徴付けるデータを、通信ネットワークを介してサーバーコンピュータに送信するように構成された電子送信機と；
を含む薬剤容器。
【請求項２】
前記サーバーコンピュータが、前記データに基づいてアラートおよび勧告のうちの少なくとも１つを生成するように構成されている、請求項１に記載の容器。
【請求項３】
前記複数のカートリッジの全てが前記同じ薬剤を含む、請求項１に記載の容器。
【請求項４】
前記フレームが１つ以上のフックを含み、前記１つ以上のフックが、前記フレームを吊るすことまたは前記フレームを別のフレームと噛合可能な形で積重ねることのうちの少なくとも１つを可能にする、請求項１に記載の容器。
【請求項５】
前記複数のフレームが直列である、請求項１に記載の容器。
【請求項６】
前記ドロワに取付けられた磁石をさらに含み、前記１つ以上のセンサは、前記磁石の動きを検出して、前記ドロワが前記予め設定された距離を超えて前記フレームから外に移動したか否かを検出するように構成されている、請求項１に記載の容器。
【請求項７】
前記磁石が希土類材料製である、請求項６に記載の容器。
【請求項８】
１つ以上のセンサの前記第２のセットが前記ドロワの内部に貼付され、１つ以上のセンサの前記第２のセットは、前記カートリッジが前記対応するスロットから取出されたか否かを検出するための１つ以上のタッチセンサおよび１つ以上の静電容量センサである、請求項１に記載の容器。
【請求項９】
１つ以上のセンサの前記第２のセットが前記フレーム内に位置付けされ、１つ以上のセンサの前記第２のセットは、予め設定された距離内の物体を検出するように構成され、１つ以上のセンサの前記第２のセットは、前記カートリッジの存在または不在を検出する、請求項１に記載の容器。